(57)【特許請求の範囲】
【請求項１】
複数の医療機関の各々に管理されるデータ処理装置である複数の医療機関装置と、複数の薬局の各々に管理されるデータ処理装置である複数の薬局装置と、サーバ装置とを備え、
前記複数の医療機関装置の各々は、
当該医療機関装置を管理する医療機関において診察された患者に対し発行された薬剤の処方箋を示す処方箋データと、当該患者を少なくとも当該医療機関において識別する患者識別データとを取得する取得手段と、
前記取得手段により取得された処方箋データと患者識別データとを対応付けて記憶装置に記憶させる記憶制御手段と
を備え、
前記複数の薬局装置の各々は、
当該薬局装置を管理する薬局に来店した患者が受け取りを希望する薬剤に関する処方箋を発行した医療機関を識別する医療機関識別データと、当該患者を少なくとも当該医療機関において識別する患者識別データとを取得する取得手段と、
自装置の前記取得手段により取得された医療機関識別データと患者識別データとを前記サーバ装置に送信する送信手段と
を備え、
前記サーバ装置は、
前記複数の薬局装置のうちのいずれかの薬局装置から、いずれかの医療機関を識別する医療機関識別データと、いずれかの患者を少なくとも当該医療機関において識別する患者識別データとを受信する受信手段と、
前記受信手段により受信された医療機関識別データにより識別される医療機関が前記複数の医療機関のうちのいずれかの医療機関である場合、当該医療機関により管理される医療機関装置に前記受信手段により当該医療機関識別データとともに受信された患者識別データを送信する送信手段と
を備え、
前記複数の医療機関装置の各々は、
前記サーバ装置から送信されてくる患者識別データを受信する受信手段と、
自装置の前記記憶制御手段の指示に従い処方箋データと患者識別データとを対応付けて記憶している記憶装置から自装置の前記受信手段により受信された患者識別データに対応付けて記憶されている処方箋データを取得し、当該取得した処方箋データを前記サーバ装置に送信する送信手段と
を備え、
前記サーバ装置の前記受信手段は、自装置の前記送信手段による患者識別データの送信に対する応答として当該患者識別データの送信先の医療機関装置から送信されてくる処方箋データを受信し、
前記サーバ装置の前記送信手段は、自装置の前記受信手段により受信された医療機関識別データと患者識別データとの送信元の薬局装置に対し、当該患者識別データの送信先の医療機関装置から当該患者識別データの送信に対する応答として自装置の前記受信手段により受信された処方箋データを送信し、
前記複数の薬局装置の各々は、
自装置の前記送信手段による医療機関識別データと患者識別データの送信に対する応答として前記サーバ装置から送信されてくる処方箋データを受信する受信手段
を備える
処方箋データを管理するシステム。
【請求項２】
前記複数の医療機関を複数の第１医療機関とし、前記複数の医療機関装置を複数の第１医療機関装置とするとき、前記複数の第１医療機関とは異なる医療機関である複数の第２医療機関の各々に管理されるデータ処理装置である複数の第２医療機関装置を備え、
前記複数の第２医療機関装置の各々は、
当該第２医療機関装置を管理する第２医療機関において診察された患者に対し発行された薬剤の処方箋を示す処方箋データと、当該患者を少なくとも当該医療機関において識別する患者識別データとを取得する取得手段と、
自装置の前記取得手段により取得された処方箋データと患者識別データとを前記サーバ装置に送信する送信手段と
を備え、
前記サーバ装置の前記受信手段は、前記複数の第２医療機関装置のうちのいずれかの第２医療機関装置から送信されてくる処方箋データと患者識別データとを受信し、
前記サーバ装置は、自装置の前記受信手段により前記複数の第２医療機関装置のうちのいずれかの第２医療機関装置から受信された処方箋データと患者識別データと当該第２医療機関装置を識別する医療機関識別データとを対応付けて記憶装置に記憶させる記憶制御手段を備え、
前記サーバ装置の前記送信手段は、自装置の前記受信手段により前記複数の薬局装置のうちのいずれかの薬局装置から受信された医療機関識別データにより識別される医療機関が前記複数の第２医療機関のうちのいずれかの第２医療機関である場合、自装置の前記記憶制御手段の指示に従い処方箋データと患者識別データと医療機関識別データとを対応付けて記憶している記憶装置から、自装置の前記受信手段が受信した患者識別データと医療機関識別データとに対応付けて記憶されている処方箋データを取得し、当該取得した処方箋データを、自装置の前記受信手段が受信した医療機関識別データと患者識別データの送信元の薬局装置に対し送信する
請求項１に記載のシステム。
【請求項３】
前記複数の第２医療機関装置の各々に関し、当該第２医療機関装置の前記取得手段は、前記取得手段が取得する処方箋データの発行時刻を示す処方時刻データを取得し、
前記複数の第２医療機関装置の各々に関し、当該第２医療機関装置の前記送信手段は、自装置の前記取得手段により取得された処方時刻データを前記サーバ装置に送信し、
前記サーバ装置の前記受信手段は、前記複数の第２医療機関装置のうちのいずれかの第２医療機関装置から処方時刻データを受信し、
前記サーバ装置の前記記憶制御手段は、自装置の前記受信手段により受信された処方時刻データを当該処方時刻データの送信元の第２医療機関装置を識別する医療機関識別データと対応付けて記憶装置に記憶させ、
前記サーバ装置の前記記憶制御手段は、記憶装置に記憶させているデータのうち、現在時刻において所定時間を経過している時刻を示す処方時刻データと当該処方時刻データに対応付けて記憶されている処方箋データと患者識別データと医療機関識別データとを当該記憶装置に削除させる
請求項２に記載のシステム。
【請求項４】
前記複数の医療機関装置の各々に関し、当該医療機関装置の前記取得手段は、当該医療機関装置を管理する医療機関において診察された患者に対し発行された薬剤の処方箋を示す処方箋データと、当該患者を前記複数の医療機関において識別する患者識別データとを取得し、
前記複数の薬局装置の各々に関し、当該薬局装置の前記取得手段は、当該薬局装置を管理する薬局に来店した患者が受け取りを希望する薬剤に関する処方箋を発行した医療機関を識別する医療機関識別データと、当該患者を前記複数の医療機関において識別する患者識別データとを取得し、
前記サーバ装置の前記受信手段は、前記複数の薬局装置のうちのいずれかの薬局装置から、いずれかの医療機関を識別する医療機関識別データと、いずれかの患者を前記複数の医療機関において識別する患者識別データとを受信し、
前記サーバ装置の前記送信手段は、自装置の前記受信手段により受信された医療機関識別データにより識別される医療機関が前記複数の医療機関のうちのいずれかの医療機関である場合、当該医療機関により管理される医療機関装置に自装置の前記受信手段により当該医療機関識別データとともに受信された患者識別データのうち少なくとも当該医療機関において患者を識別する部分を送信し、
前記複数の薬局装置の各々に関し、当該薬局装置の前記取得手段は、自装置の前記受信手段が受信した処方箋データのうち薬剤の調剤に使用された処方箋データである使用済処方箋データに関し当該調剤の時刻を示す調剤時刻データを取得し、
前記複数の薬局装置の各々に関し、当該薬局装置の前記送信手段は、自装置の前記取得手段により取得された調剤時刻データと当該調剤時刻データに対応する使用済処方箋データと当該使用済処方箋データを使用して処方された薬剤を受け取った患者を識別する患者識別データとを前記サーバ装置に送信し、
前記サーバ装置の前記受信手段は、前記複数の薬局装置のうちのいずれかの薬局装置から送信されてくる調剤時刻データと使用済処方箋データと患者識別データとを受信し、
前記サーバ装置は、自装置の前記受信手段により受信された調剤時刻データと使用済処方箋データと患者識別データとを対応付けて記憶装置に記憶させる記憶制御手段を備え、
前記サーバ装置の前記送信手段は、自装置の前記受信手段が受信した医療機関識別データと患者識別データとの送信元の薬局装置に対し、自装置の前記記憶制御手段の指示に従い調剤時刻データと使用済処方箋データと患者識別データとを対応付けて記憶している記憶装置から、自装置の前記受信手段が受信した患者識別データに対応付けて記憶されている調剤時刻データと使用済処方箋データとを取得し、当該取得した調剤時刻データと使用済処方箋データとを、自装置の前記受信手段が受信した医療機関識別データと患者識別データとの送信元の薬局装置に対し送信する
請求項１に記載のシステム。
【請求項５】
前記サーバ装置の前記記憶制御手段は、記憶装置に記憶させているデータのうち、現在時刻において所定時間を経過している時刻を示す調剤時刻データと当該調剤時刻データに対応付けて記憶されている使用済処方箋データと患者識別データとを当該記憶装置に削除させる
請求項４に記載のシステム。
【請求項６】
前記複数の医療機関装置の各々に関し、当該医療機関装置の前記取得手段は、処方箋データとともに取得する患者識別データとして、患者に対し当該医療機関装置を管理する医療機関が発行した診察券に記録されており当該医療機関において当該患者を識別する医療機関内患者識別データと、当該患者が加入している健康保険を提供する健康保険機関が発行した健康保険証に記録されており複数の健康保険機関において当該患者を識別する被保険者識別データとを取得し、
前記複数の医療機関装置の各々に関し、当該医療機関装置の前記記憶制御手段は、処方箋データに対応付けて記憶装置に記憶させる患者識別データとして、自装置の前記取得手段により取得された医療機関内患者識別データと被保険者識別データとを記憶させ、
前記複数の薬局装置の各々に関し、当該薬局装置の前記取得手段は、患者が提示した診察券に記録されている医療機関識別データを取得するとともに、当該診察券に記録されている医療機関内患者識別データと、当該患者が提示した健康保険証に記録されている被保険者識別データとを患者識別データとして取得し、
前記複数の薬局装置の各々に関し、当該薬局装置の前記送信手段は、送信する患者識別データとして、自装置の前記取得手段により取得された医療機関内患者識別データを送信し、
前記複数の医療機関装置の各々に関し、当該医療機関装置の送信手段は、自装置の前記記憶制御手段の指示に従い処方箋データと医療機関識別データと被保険者識別データとを対応付けて記憶している記憶装置から自装置の前記受信手段により受信された医療機関内患者識別データに対応付けて記憶されている処方箋データと被保険者識別データとを取得し、当該取得した処方箋データと被保険者識別データとを送信し、
前記複数の薬局装置の各々に関し、当該薬局装置の前記受信手段は被保険者識別データを受信し、
前記複数の薬局装置の各々は、自装置の前記取得手段により取得された被保険者識別データと自装置の前記受信手段により受信された被保険者識別データを比較し、当該比較の結果を示す比較結果データを表示装置に出力する出力手段を備える
請求項１乃至５のいずれか１項に記載のシステム。
【請求項７】
複数の薬局の各々に管理されるデータ処理装置である複数の薬局装置のうちのいずれかの薬局装置から、複数の医療機関のうちのいずれかの医療機関を識別する医療機関識別データと、いずれかの患者を少なくとも当該医療機関において識別する患者識別データとを受信する受信手段と、
前記受信手段により受信された医療機関識別データにより識別される医療機関により管理されるデータ処理装置である医療機関装置が特定できる場合、前記受信手段により当該医療機関識別データとともに受信された患者識別データを当該医療機関装置に送信する送信手段と
を備え、
前記受信手段は、前記送信手段による患者識別データの送信に対する応答として当該患者識別データの送信先の医療機関装置から送信されてくる、薬剤の処方箋を示す処方箋データを受信し、
前記送信手段は、前記受信手段により受信された医療機関識別データと患者識別データとの送信元の薬局装置に対し、当該患者識別データの送信先の医療機関装置から当該患者識別データの送信に対する応答として前記受信手段が受信した処方箋データを送信する
サーバ装置。
【請求項８】
前記複数の医療機関を複数の第１医療機関とし、前記複数の医療機関の各々により管理される複数の医療機関装置を複数の第１医療機関装置とするとき、
前記受信手段は、前記複数の第１医療機関とは異なる医療機関である複数の第２医療機関の各々に管理されるデータ処理装置である複数の第２医療機関装置のうちのいずれかの第２医療機関装置から送信されてくる処方箋データと患者識別データとを受信し、
前記受信手段により前記複数の第２医療機関装置のうちのいずれかの第２医療機関装置から受信された処方箋データと患者識別データと当該第２医療機関装置を識別する医療機関識別データとを対応付けて記憶装置に記憶させる記憶制御手段を備え、
前記送信手段は、前記受信手段により前記複数の薬局装置のうちのいずれかの薬局装置から受信された医療機関識別データにより識別される医療機関が前記複数の第２医療機関のうちのいずれかの第２医療機関である場合、前記記憶装置から、前記受信手段が受信した患者識別データと医療機関識別データとに対応付けて記憶されている処方箋データを取得し、当該取得した処方箋データを、前記受信手段が受信した医療機関識別データと患者識別データの送信元の薬局装置に対し送信する
請求項７に記載のサーバ装置。
【請求項９】
前記受信手段は、前記受信手段が受信する処方箋データの送信元の第２医療機関装置から当該処方箋データの発行時刻を示す処方時刻データを受信し、
前記記憶制御手段は、前記受信手段により受信された処方時刻データを当該処方時刻データの送信元の第２医療機関装置を識別する医療機関識別データと対応付けて記憶装置に記憶させ、
前記記憶制御手段は、記憶装置に記憶させているデータのうち、現在時刻において所定時間を経過している時刻を示す処方時刻データと当該処方時刻データに対応付けて記憶されている処方箋データと患者識別データと医療機関識別データとを当該記憶装置に削除させる
請求項８に記載のサーバ装置。
【請求項１０】
前記受信手段は、前記複数の薬局装置のうちのいずれかの薬局装置から、いずれかの医療機関を識別する医療機関識別データと、いずれかの患者を前記複数の医療機関において識別する患者識別データとを受信し、
前記送信手段は、前記受信手段により受信された医療機関識別データにより識別される医療機関が前記複数の医療機関のうちのいずれかの医療機関である場合、当該医療機関により管理される医療機関装置に前記受信手段により当該医療機関識別データとともに受信された患者識別データのうち少なくとも当該医療機関において患者を識別する部分を送信し、
前記受信手段は、前記複数の薬局装置のうちのいずれかの薬局装置から送信されてくる、薬剤の調剤に使用された処方箋データである使用済処方箋データと当該調剤の時刻を示す調剤時刻データと当該薬剤を受け取った患者を識別する患者識別データとを受信し、
前記受信手段により受信された使用済処方箋データと調剤時刻データと患者識別データとを対応付けて記憶装置に記憶させる記憶制御手段を備え、
前記送信手段は、前記受信手段が受信した医療機関識別データと患者識別データとの送信元の薬局装置に対し、前記記憶制御手段の指示に従い使用済処方箋データと調剤時刻データと患者識別データとを対応付けて記憶している記憶装置から、前記受信手段が受信した患者識別データに対応付けて記憶されている使用済処方箋データと調剤時刻データとを取得し、当該取得した使用済処方箋データと調剤時刻データとを、前記受信手段が受信した医療機関識別データと患者識別データとの送信元の薬局装置に対し送信する
請求項７に記載のサーバ装置。
【請求項１１】
前記記憶制御手段は、記憶装置に記憶させているデータのうち、現在時刻において所定時間を経過している時刻を示す調剤時刻データと当該調剤時刻データに対応付けて記憶されている使用済処方箋データと患者識別データとを当該記憶装置に削除させる
請求項１０に記載のサーバ装置。
【請求項１２】
前記受信手段は、前記送信手段による患者識別データの送信先の医療機関装置から、当該患者識別データにより識別される患者が加入している健康保険を提供する健康保険機関が発行した健康保険証に記録されており複数の健康保険機関において当該患者を識別する被保険者識別データを受信し、
前記送信手段は、前記受信手段により受信された医療機関識別データと患者識別データとの送信元の薬局装置に対し、前記受信手段が受信した被保険者識別データを送信する
請求項７乃至１１のいずれか１項に記載のサーバ装置。
【請求項１３】
コンピュータに、
複数の薬局の各々に管理されるデータ処理装置である複数の薬局装置のうちのいずれかの薬局装置から、複数の医療機関のうちのいずれかの医療機関を識別する医療機関識別データと、いずれかの患者を少なくとも当該医療機関において識別する患者識別データとを受信する処理と、
受信した医療機関識別データにより識別される医療機関により管理されるデータ処理装置である医療機関装置が特定できる場合、当該医療機関識別データとともに受信した患者識別データを当該医療機関装置に送信する処理と、
前記患者識別データの送信に対する応答として当該患者識別データの送信先の医療機関装置から送信されてくる、薬剤の処方箋を示す処方箋データを受信する処理と、
受信した医療機関識別データと患者識別データとの送信元の薬局装置に対し、当該患者識別データの送信先の医療機関装置から当該患者識別データの送信に対する応答として受信した処方箋データを送信する処理と
を実行させるためのプログラム。
【発明の詳細な説明】
【技術分野】
【０００１】
本発明は、医師により患者に対し発行される薬剤の処方箋を示す処方箋データを管理するための技術に関する。
【背景技術】
【０００２】
従来、薬剤の処方箋は紙媒体にプリントアウトされて医療機関から患者に手渡され、患者が調剤薬局（以下、単に「薬局」という）に持参されて薬剤の調剤に利用されている。
【０００３】
これに対し、近年は通信ネットワークの普及や通信ネットワークを介して送受信されるデータの暗号化技術の普及等に伴い、紙媒体にプリントアウトされた形態の処方箋に代えて、電子データ化された処方箋を処方箋の発行元の医療機関と処方箋に従い薬剤の調剤を行う薬局との間で受け渡す仕組みが提案されている。
【０００４】
例えば、特許文献１には、病院からセンターサーバに処方箋データが送信され、患者はセンターサーバにアクセスして薬局リストを閲覧し、受け取りが便利な薬局を選択すると、処方箋データが選択された薬局に送信され、患者が希望する薬局で処方された薬剤を受け取ることができる、という仕組みが提案されている。
【先行技術文献】
【特許文献】
【０００５】
【特許文献１】特開２００３−２６３４９９号公報
【発明の概要】
【発明が解決しようとする課題】
【０００６】
電子データ化された処方箋が利用されるためには、薬局が来店した患者に対し医療機関から発行されている処方箋データを特定し取得するための仕組みが必要となる。例えば、上記の特許文献１に記載の仕組みにおいては、様々な医療機関から発行される処方箋データは全てセンターサーバに蓄積され、患者が端末装置を用いてセンターサーバにアクセスし、本人認証の後に処方箋データの送信先の薬局を指定することで、患者が来店する薬局の端末装置に対し当該患者に対し発行されている処方箋データの送信が行われる。
【０００７】
上記の特許文献１に例示されるように、様々な医療機関から発行される処方箋データが１つのサーバ装置において集中管理される仕組みにおいては、サーバ装置の負荷が膨大となり、迅速な処理を実現するためにはサーバ装置の運営等に大きなコストを要する。また、様々な医療機関を通じて患者を識別するための仕組みが必要となるが、そのための新たな仕組みを導入するためにもコストや時間を要する。
【０００８】
なお、様々な医療機関を通じて患者を識別するための患者識別データとして、患者が加入している健康保険の保険者番号および被保険者番号の組み合わせを用いる仕組みが提案されている。この場合、健康保険に未加入の患者に対し発行された処方箋データを扱えない、という問題がある。また、処方箋データが発行された後に患者が加入する健康保険に変更があり、その後に当該処方箋データに従う調剤を患者が受けようとした場合、処方箋データの特定ができない、という問題もある。
【０００９】
上記の事情に鑑み、本発明は、処方箋データを集中管理する仕組みと比較して、低コストかつ短時間で実用化が可能な処方箋データの管理の仕組みを提供することを目的とする。
【課題を解決するための手段】
【００１０】
上記の目的を達成するため、本発明は、複数の医療機関の各々に管理されるデータ処理装置である複数の医療機関装置と、複数の薬局の各々に管理されるデータ処理装置である複数の薬局装置と、サーバ装置とを備え、前記複数の医療機関装置の各々は、当該医療機関装置を管理する医療機関において診察された患者に対し発行された薬剤の処方箋を示す処方箋データと、当該患者を少なくとも当該医療機関において識別する患者識別データとを取得する取得手段と、前記取得手段により取得された処方箋データと患者識別データとを対応付けて記憶装置に記憶させる記憶制御手段とを備え、前記複数の薬局装置の各々は、当該薬局装置を管理する薬局に来店した患者が受け取りを希望する薬剤に関する処方箋を発行した医療機関を識別する医療機関識別データと、当該患者を少なくとも当該医療機関において識別する患者識別データとを取得する取得手段と、自装置の前記取得手段により取得された医療機関識別データと患者識別データとを前記サーバ装置に送信する送信手段とを備え、前記サーバ装置は、前記複数の薬局装置のうちのいずれかの薬局装置から、いずれかの医療機関を識別する医療機関識別データと、いずれかの患者を少なくとも当該医療機関において識別する患者識別データとを受信する受信手段と、前記受信手段により受信された医療機関識別データにより識別される医療機関が前記複数の医療機関のうちのいずれかの医療機関である場合、当該医療機関により管理される医療機関装置に前記受信手段により当該医療機関識別データとともに受信された患者識別データを送信する送信手段とを備え、前記複数の医療機関装置の各々は、前記サーバ装置から送信されてくる患者識別データを受信する受信手段と、自装置の前記記憶制御手段の指示に従い処方箋データと患者識別データとを対応付けて記憶している記憶装置から自装置の前記受信手段により受信された患者識別データに対応付けて記憶されている処方箋データを取得し、当該取得した処方箋データを前記サーバ装置に送信する送信手段とを備え、前記サーバ装置の前記受信手段は、自装置の前記送信手段による患者識別データの送信に対する応答として当該患者識別データの送信先の医療機関装置から送信されてくる処方箋データを受信し、前記サーバ装置の前記送信手段は、自装置の前記受信手段により受信された医療機関識別データと患者識別データとの送信元の薬局装置に対し、当該患者識別データの送信先の医療機関装置から当該患者識別データの送信に対する応答として自装置の前記受信手段により受信された処方箋データを送信し、前記複数の薬局装置の各々は、自装置の前記送信手段による医療機関識別データと患者識別データの送信に対する応答として前記サーバ装置から送信されてくる処方箋データを受信する受信手段を備える処方箋データを管理するシステムを提案する。
【００１１】
上記のシステムにおいて、前記複数の医療機関を複数の第１医療機関とし、前記複数の医療機関装置を複数の第１医療機関装置とするとき、前記複数の第１医療機関とは異なる医療機関である複数の第２医療機関の各々に管理されるデータ処理装置である複数の第２医療機関装置を備え、前記複数の第２医療機関装置の各々は、当該第２医療機関装置を管理する第２医療機関において診察された患者に対し発行された薬剤の処方箋を示す処方箋データと、当該患者を少なくとも当該医療機関において識別する患者識別データとを取得する取得手段と、自装置の前記取得手段により取得された処方箋データと患者識別データとを前記サーバ装置に送信する送信手段とを備え、前記サーバ装置の前記受信手段は、前記複数の第２医療機関装置のうちのいずれかの第２医療機関装置から送信されてくる処方箋データと患者識別データとを受信し、前記サーバ装置は、自装置の前記受信手段により前記複数の第２医療機関装置のうちのいずれかの第２医療機関装置から受信された処方箋データと患者識別データと当該第２医療機関装置を識別する医療機関識別データとを対応付けて記憶装置に記憶させる記憶制御手段を備え、前記サーバ装置の前記送信手段は、自装置の前記受信手段により前記複数の薬局装置のうちのいずれかの薬局装置から受信された医療機関識別データにより識別される医療機関が前記複数の第２医療機関のうちのいずれかの第２医療機関である場合、自装置の前記記憶制御手段の指示に従い処方箋データと患者識別データと医療機関識別データとを対応付けて記憶している記憶装置から、自装置の前記受信手段が受信した患者識別データと医療機関識別データとに対応付けて記憶されている処方箋データを取得し、当該取得した処方箋データを、自装置の前記受信手段が受信した医療機関識別データと患者識別データの送信元の薬局装置に対し送信する、という構成が採用されてもよい。
【００１２】
また、上記のシステムにおいて、前記複数の第２医療機関装置の各々に関し、当該第２医療機関装置の前記取得手段は、前記取得手段が取得する処方箋データの発行時刻を示す処方時刻データを取得し、前記複数の第２医療機関装置の各々に関し、当該第２医療機関装置の前記送信手段は、自装置の前記取得手段により取得された処方時刻データを前記サーバ装置に送信し、前記サーバ装置の前記受信手段は、前記複数の第２医療機関装置のうちのいずれかの第２医療機関装置から処方時刻データを受信し、前記サーバ装置の前記記憶制御手段は、自装置の前記受信手段により受信された処方時刻データを当該処方時刻データの送信元の第２医療機関装置を識別する医療機関識別データと対応付けて記憶装置に記憶させ、前記サーバ装置の前記記憶制御手段は、記憶装置に記憶させているデータのうち、現在時刻において所定時間を経過している時刻を示す処方時刻データと当該処方時刻データに対応付けて記憶されている処方箋データと患者識別データと医療機関識別データとを当該記憶装置に削除させる、という構成が採用されてもよい。
【００１３】
また、上記のシステムにおいて、前記複数の医療機関装置の各々に関し、当該医療機関装置の前記取得手段は、当該医療機関装置を管理する医療機関において診察された患者に対し発行された薬剤の処方箋を示す処方箋データと、当該患者を前記複数の医療機関において識別する患者識別データとを取得し、前記複数の薬局装置の各々に関し、当該薬局装置の前記取得手段は、当該薬局装置を管理する薬局に来店した患者が受け取りを希望する薬剤に関する処方箋を発行した医療機関を識別する医療機関識別データと、当該患者を前記複数の医療機関において識別する患者識別データとを取得し、前記サーバ装置の前記受信手段は、前記複数の薬局装置のうちのいずれかの薬局装置から、いずれかの医療機関を識別する医療機関識別データと、いずれかの患者を前記複数の医療機関において識別する患者識別データとを受信し、前記サーバ装置の前記送信手段は、自装置の前記受信手段により受信された医療機関識別データにより識別される医療機関が前記複数の医療機関のうちのいずれかの医療機関である場合、当該医療機関により管理される医療機関装置に自装置の前記受信手段により当該医療機関識別データとともに受信された患者識別データのうち少なくとも当該医療機関において患者を識別する部分を送信し、前記複数の薬局装置の各々に関し、当該薬局装置の前記取得手段は、自装置の前記受信手段が受信した処方箋データのうち薬剤の調剤に使用された処方箋データである使用済処方箋データに関し当該調剤の時刻を示す調剤時刻データを取得し、前記複数の薬局装置の各々に関し、当該薬局装置の前記送信手段は、自装置の前記取得手段により取得された調剤時刻データと当該調剤時刻データに対応する使用済処方箋データと当該使用済処方箋データを使用して処方された薬剤を受け取った患者を識別する患者識別データとを前記サーバ装置に送信し、前記サーバ装置の前記受信手段は、前記複数の薬局装置のうちのいずれかの薬局装置から送信されてくる調剤時刻データと使用済処方箋データと患者識別データとを受信し、前記サーバ装置は、自装置の前記受信手段により受信された調剤時刻データと使用済処方箋データと患者識別データとを対応付けて記憶装置に記憶させる記憶制御手段を備え、前記サーバ装置の前記送信手段は、自装置の前記受信手段が受信した医療機関識別データと患者識別データとの送信元の薬局装置に対し、自装置の前記記憶制御手段の指示に従い調剤時刻データと使用済処方箋データと患者識別データとを対応付けて記憶している記憶装置から、自装置の前記受信手段が受信した患者識別データに対応付けて記憶されている調剤時刻データと使用済処方箋データとを取得し、当該取得した調剤時刻データと使用済処方箋データとを、自装置の前記受信手段が受信した医療機関識別データと患者識別データとの送信元の薬局装置に対し送信する、という構成が採用されてもよい。
【００１４】
また、上記のシステムにおいて、前記サーバ装置の前記記憶制御手段は、記憶装置に記憶させているデータのうち、現在時刻において所定時間を経過している時刻を示す調剤時刻データと当該調剤時刻データに対応付けて記憶されている使用済処方箋データと患者識別データとを当該記憶装置に削除させる、という構成が採用されてもよい。
【００１５】
また、本発明は、複数の医療機関の各々に管理されるデータ処理装置である複数の医療機関装置と、複数の薬局の各々に管理されるデータ処理装置である複数の薬局装置とを備え、前記複数の医療機関装置の各々は、当該医療機関装置を管理する医療機関において診察された患者に対し発行された薬剤の処方箋を示す処方箋データと、当該患者を少なくとも当該医療機関において識別する患者識別データとを取得する取得手段と、前記取得手段により取得された処方箋データと患者識別データとを対応付けて記憶装置に記憶させる記憶制御手段とを備え、前記複数の薬局装置の各々は、当該薬局装置を管理する薬局に来店した患者が受け取りを希望する薬剤に関する処方箋を発行した医療機関を識別する医療機関識別データと、当該患者を少なくとも当該医療機関において識別する患者識別データとを取得する取得手段と、自装置の前記取得手段により取得された医療機関識別データにより識別される医療機関により管理される医療機関装置に、自装置の前記取得手段により取得された患者識別データを送信する送信手段とを備え、前記複数の医療機関装置の各々は、前記複数の薬局装置のうちのいずれかの薬局装置から送信されてくる患者識別データを受信する受信手段と、自装置の前記記憶制御手段の指示に従い処方箋データと患者識別データとを対応付けて記憶している記憶装置から自装置の前記受信手段により受信された患者識別データに対応付けて記憶されている処方箋データを取得し、当該取得した処方箋データを前記受信手段により受信された患者識別データの送信元の薬局装置に送信する送信手段とを備え、前記複数の薬局装置の各々は、自装置の前記送信手段による患者識別データの送信に対する応答として当該患者識別データの送信先の医療機関装置から送信されてくる処方箋データを受信する受信手段を備える処方箋データを管理するシステムを提案する。
【００１６】
また、上記のシステムにおいて、前記複数の医療機関装置の各々に関し、当該医療機関装置の前記取得手段は、処方箋データとともに取得する患者識別データとして、患者に対し当該医療機関装置を管理する医療機関が発行した診察券に記録されており当該医療機関において当該患者を識別する医療機関内患者識別データと、当該患者が加入している健康保険を提供する健康保険機関が発行した健康保険証に記録されており複数の健康保険機関において当該患者を識別する被保険者識別データとを取得し、前記複数の医療機関装置の各々に関し、当該医療機関装置の前記記憶制御手段は、処方箋データに対応付けて記憶装置に記憶させる患者識別データとして、自装置の前記取得手段により取得された医療機関内患者識別データと被保険者識別データとを記憶させ、前記複数の薬局装置の各々に関し、当該薬局装置の前記取得手段は、患者が提示した診察券に記録されている医療機関識別データを取得するとともに、当該診察券に記録されている医療機関内患者識別データと、当該患者が提示した健康保険証に記録されている被保険者識別データとを患者識別データとして取得し、前記複数の薬局装置の各々に関し、当該薬局装置の前記送信手段は、送信する患者識別データとして、自装置の前記取得手段により取得された医療機関内患者識別データを送信し、前記複数の医療機関装置の各々に関し、当該医療機関装置の送信手段は、自装置の前記記憶制御手段の指示に従い処方箋データと医療機関識別データと被保険者識別データとを対応付けて記憶している記憶装置から自装置の前記受信手段により受信された医療機関内患者識別データに対応付けて記憶されている処方箋データと被保険者識別データとを取得し、当該取得した処方箋データと被保険者識別データとを送信し、前記複数の薬局装置の各々に関し、当該薬局装置の前記受信手段は被保険者識別データを受信し、前記複数の薬局装置の各々は、自装置の前記取得手段により取得された被保険者識別データと自装置の前記受信手段により受信された被保険者識別データを比較し、当該比較の結果を示す比較結果データを表示装置に出力する出力手段を備える、という構成が採用されてもよい。
【００１７】
また、本発明は、複数の薬局の各々に管理されるデータ処理装置である複数の薬局装置のうちのいずれかの薬局装置から、複数の医療機関のうちのいずれかの医療機関を識別する医療機関識別データと、いずれかの患者を少なくとも当該医療機関において識別する患者識別データとを受信する受信手段と、前記受信手段により受信された医療機関識別データにより識別される医療機関により管理されるデータ処理装置である医療機関装置が特定できる場合、前記受信手段により当該医療機関識別データとともに受信された患者識別データを当該医療機関装置に送信する送信手段とを備え、前記受信手段は、前記送信手段による患者識別データの送信に対する応答として当該患者識別データの送信先の医療機関装置から送信されてくる、薬剤の処方箋を示す処方箋データを受信し、前記送信手段は、前記受信手段により受信された医療機関識別データと患者識別データとの送信元の薬局装置に対し、当該患者識別データの送信先の医療機関装置から当該患者識別データの送信に対する応答として前記受信手段が受信した処方箋データを送信するサーバ装置を提案する。
【００１８】
上記のサーバ装置において、前記複数の医療機関を複数の第１医療機関とし、前記複数の医療機関の各々により管理される複数の医療機関装置を複数の第１医療機関装置とするとき、前記受信手段は、前記複数の第１医療機関とは異なる医療機関である複数の第２医療機関の各々に管理されるデータ処理装置である複数の第２医療機関装置のうちのいずれかの第２医療機関装置から送信されてくる処方箋データと患者識別データとを受信し、前記受信手段により前記複数の第２医療機関装置のうちのいずれかの第２医療機関装置から受信された処方箋データと患者識別データと当該第２医療機関装置を識別する医療機関識別データとを対応付けて記憶装置に記憶させる記憶制御手段を備え、前記送信手段は、前記受信手段により前記複数の薬局装置のうちのいずれかの薬局装置から受信された医療機関識別データにより識別される医療機関が前記複数の第２医療機関のうちのいずれかの第２医療機関である場合、前記記憶装置から、前記受信手段が受信した患者識別データと医療機関識別データとに対応付けて記憶されている処方箋データを取得し、当該取得した処方箋データを、前記受信手段が受信した医療機関識別データと患者識別データの送信元の薬局装置に対し送信する、という構成が採用されてもよい。
【００１９】
また、上記のサーバ装置において、前記受信手段は、前記受信手段が受信する処方箋データの送信元の第２医療機関装置から当該処方箋データの発行時刻を示す処方時刻データを受信し、前記記憶制御手段は、前記受信手段により受信された処方時刻データを当該処方時刻データの送信元の第２医療機関装置を識別する医療機関識別データと対応付けて記憶装置に記憶させ、前記記憶制御手段は、記憶装置に記憶させているデータのうち、現在時刻において所定時間を経過している時刻を示す処方時刻データと当該処方時刻データに対応付けて記憶されている処方箋データと患者識別データと医療機関識別データとを当該記憶装置に削除させる、という構成が採用されてもよい。
【００２０】
また、上記のサーバ装置において、前記受信手段は、前記複数の薬局装置のうちのいずれかの薬局装置から、いずれかの医療機関を識別する医療機関識別データと、いずれかの患者を前記複数の医療機関において識別する患者識別データとを受信し、前記送信手段は、前記受信手段により受信された医療機関識別データにより識別される医療機関が前記複数の医療機関のうちのいずれかの医療機関である場合、当該医療機関により管理される医療機関装置に前記受信手段により当該医療機関識別データとともに受信された患者識別データのうち少なくとも当該医療機関において患者を識別する部分を送信し、前記受信手段は、前記複数の薬局装置のうちのいずれかの薬局装置から送信されてくる、薬剤の調剤に使用された処方箋データである使用済処方箋データと当該調剤の時刻を示す調剤時刻データと当該薬剤を受け取った患者を識別する患者識別データとを受信し、前記受信手段により受信された使用済処方箋データと調剤時刻データと患者識別データとを対応付けて記憶装置に記憶させる記憶制御手段を備え、前記送信手段は、前記受信手段が受信した医療機関識別データと患者識別データとの送信元の薬局装置に対し、前記記憶制御手段の指示に従い使用済処方箋データと調剤時刻データと患者識別データとを対応付けて記憶している記憶装置から、前記受信手段が受信した患者識別データに対応付けて記憶されている使用済処方箋データと調剤時刻データとを取得し、当該取得した使用済処方箋データと調剤時刻データとを、前記受信手段が受信した医療機関識別データと患者識別データとの送信元の薬局装置に対し送信する、という構成が採用されてもよい。
【００２１】
また、上記のサーバ装置において、前記記憶制御手段は、記憶装置に記憶させているデータのうち、現在時刻において所定時間を経過している時刻を示す調剤時刻データと当該調剤時刻データに対応付けて記憶されている使用済処方箋データと患者識別データとを当該記憶装置に削除させる、という構成が採用されてもよい。
【００２２】
また、上記のサーバ装置において、前記受信手段は、前記送信手段による患者識別データの送信先の医療機関装置から、当該患者識別データにより識別される患者が加入している健康保険を提供する健康保険機関が発行した健康保険証に記録されており複数の健康保険機関において当該患者を識別する被保険者識別データを受信し、前記送信手段は、前記受信手段により受信された医療機関識別データと患者識別データとの送信元の薬局装置に対し、前記受信手段が受信した被保険者識別データを送信する、という構成が採用されてもよい。
【００２３】
また、本発明は、コンピュータに、複数の薬局の各々に管理されるデータ処理装置である複数の薬局装置のうちのいずれかの薬局装置から、複数の医療機関のうちのいずれかの医療機関を識別する医療機関識別データと、いずれかの患者を少なくとも当該医療機関において識別する患者識別データとを受信する処理と、受信した医療機関識別データにより識別される医療機関により管理されるデータ処理装置である医療機関装置が特定できる場合、当該医療機関識別データとともに受信した患者識別データを当該医療機関装置に送信する処理と、前記患者識別データの送信に対する応答として当該患者識別データの送信先の医療機関装置から送信されてくる、薬剤の処方箋を示す処方箋データを受信する処理と、受信した医療機関識別データと患者識別データとの送信元の薬局装置に対し、当該患者識別データの送信先の医療機関装置から当該患者識別データの送信に対する応答として受信した処方箋データを送信する処理とを実行させるためのプログラムを提供する。
【００２４】
また、本発明は、薬局に管理される薬局装置であって、前記薬局に来店した患者が受け取りを希望する薬剤に関する処方箋を発行した医療機関を識別する医療機関識別データと、当該患者を少なくとも当該医療機関において識別する患者識別データとを取得する取得手段と、前記取得手段により取得された医療機関識別データにより識別される医療機関により管理される医療機関装置に、前記取得手段により取得された患者識別データを送信する送信手段と、前記送信手段による患者識別データの送信に対する応答として当該患者識別データの送信先の医療機関装置から送信されてくる処方箋データを受信する受信手段とを備える薬局装置を提供する。
【００２５】
また、本発明は、薬局に管理されるコンピュータに、前記薬局に来店した患者が受け取りを希望する薬剤に関する処方箋を発行した医療機関を識別する医療機関識別データと、当該患者を少なくとも当該医療機関において識別する患者識別データとを取得する処理と、前記医療機関識別データにより識別される医療機関により管理される医療機関装置に、前記患者識別データを送信する処理と、前記患者識別データの送信に対する応答として当該患者識別データの送信先の医療機関装置から送信されてくる処方箋データを受信する処理とを実行させるためのプログラムを提供する。
【発明の効果】
【００２６】
本発明によれば、医療機関により発行された処方箋データは発行元の医療機関により管理される医療機関装置において管理され、必要に応じて医療機関装置から薬局により管理される薬局装置に送信される。従って、様々な医療機関から発行される処方箋データの全てを集中管理する新たな仕組みを導入する場合と比較し、低コストかつ短時間で処方箋データの利用が実用化される。
【図面の簡単な説明】
【００２７】
【図１】一実施形態にかかる処方箋データ管理システムの全体構成を示した図である。
【図２】一実施形態にかかる端末装置のハードウェアとして採用されるコンピュータの基本構成を例示した図である。
【図３】一実施形態にかかるサーバ装置のハードウェアとして採用されるコンピュータの基本構成を例示した図である。
【図４】一実施形態にかかる端末装置の機能構成を示した図である。
【図５】一実施形態にかかるサーバ装置の機能構成を示した図である。
【図６】一実施形態にかかる端末装置の機能構成を示した図である。
【図７】一実施形態にかかる端末装置の機能構成を示した図である。
【図８】一実施形態にかかるサーバ装置の機能構成を示した図である。
【図９】一実施形態にかかる端末装置の機能構成を示した図である。
【図１０】一実施形態にかかるサーバ装置の機能構成を示した図である。
【図１１】一実施形態にかかる患者データベースのデータ構成を示した図である。
【図１２】一実施形態にかかる医療機関用処方箋データベースのデータ構成を示した図である。
【図１３】一実施形態にかかる薬局用処方箋データベースのデータ構成を示した図である。
【図１４】一実施形態にかかる医療機関データベースのデータ構成を示した図である。
【図１５】一実施形態にかかる薬局データベースのデータ構成を示した図である。
【図１６】一実施形態にかかるサーバ用処方箋データベースのデータ構成を示した図である。
【図１７】一実施形態にかかる処方箋データ管理システムの動作のシーケンスを示した図である。
【図１８】一実施形態にかかる処方箋データ管理システムの動作のシーケンスを示した図である。
【図１９】一実施形態にかかる処方箋データ管理システムの動作のシーケンスを示した図である。
【図２０】一実施形態にかかる処方箋データ管理システムの動作のシーケンスを示した図である。
【図２１】一実施形態にかかる処方箋データ管理システムの動作のシーケンスを示した図である。
【図２２】一実施形態にかかる処方箋データ管理システムの動作のシーケンスを示した図である。
【図２３】一変形例にかかる処方箋データ管理システムの全体構成を示した図である。
【図２４】一変形例にかかる処方箋データ管理システムの動作のシーケンスを示した図である。
【図２５】一変形例にかかる処方箋データ管理システムの動作のシーケンスを示した図である。
【発明を実施するための形態】
【００２８】
［実施形態］
図１は本発明の一実施形態にかかる処方箋データ管理システム１の全体構成を示した図である。処方箋データ管理システム１は、複数の医療機関と、複数の薬局により利用される。図１には、処方箋データ管理システム１を利用する医療機関として医療機関Ａ〜Ｄが、また、処方箋データ管理システム１を利用する薬局として薬局Ｗ〜Ｚが例示されている。なお、処方箋データ管理システム１を利用する医療機関および薬局の数は４つに限られない。
【００２９】
医療機関ＡおよびＢは比較的、大規模の医療機関が想定されており、医療機関ＣおよびＤは比較的、小規模の医療機関が想定されている。ただし、実際の医療機関の規模はこれに限られない。また、薬局ＷおよびＸは比較的、大規模の薬局が想定されており、薬局ＹおよびＺは比較的、小規模の薬局が想定されている。ただし、実際の薬局の規模はこれに限られない。
【００３０】
処方箋データ管理システム１は、まず、医療機関Ａが管理する装置として医療機関Ａの医師等が用いる端末装置１１Ａ−１〜１１Ａ−ｎA（ただし、ｎAは任意の自然数）（以下、端末装置１１Ａ−１〜１１Ａ−ｎAを「端末装置１１Ａ」と総称する）と、端末装置１１Ａの各々と通信接続されたサーバ装置１２Ａを備える。同様に、処方箋データ管理システム１は、医療機関Ｂが管理する装置として医療機関Ｂの医師等が用いる端末装置１１Ｂ−１〜１１Ｂ−ｎB（ただし、ｎBは任意の自然数）（以下、端末装置１１Ｂ−１〜１１Ｂ−ｎBを「端末装置１１Ｂ」と総称する）と、端末装置１１Ｂの各々と通信接続されたサーバ装置１２Ｂ（以下、サーバ装置１２ＡおよびＢを「サーバ装置１２」と総称）を備える。
【００３１】
また、処方箋データ管理システム１は、医療機関Ｃが管理する装置として医療機関Ｃの医師等が用いる端末装置１３Ｃを備える。同様に、処方箋データ管理システム１は、医療機関Ｄが管理する装置として医療機関Ｄの医師等が用いる端末装置１３Ｄを備える。
【００３２】
また、処方箋データ管理システム１は、薬局Ｗが管理する装置として薬局Ｗの薬剤師等が用いる端末装置１４Ｗ−１〜１４Ｗ−ｎW（ただし、ｎWは任意の自然数）（以下、端末装置１４Ｗ−１〜１４Ｗ−ｎWを「端末装置１４Ｗ」と総称する）と、端末装置１４Ｗの各々と通信接続されたサーバ装置１５Ｗを備える。同様に、処方箋データ管理システム１は、薬局Ｘが管理する装置として薬局Ｘの薬剤師等が用いる端末装置１４Ｘ−１〜１４Ｘ−ｎX（ただし、ｎXは任意の自然数）（以下、端末装置１４Ｘ−１〜１４Ｘ−ｎXを「端末装置１４Ｘ」と総称する）と、端末装置１４Ｘの各々と通信接続されたサーバ装置１５Ｘ（以下、サーバ装置１５ＷおよびＸを「サーバ装置１５」と総称）を備える。
【００３３】
また、処方箋データ管理システム１は、薬局Ｙが管理する装置として薬局Ｙの薬剤師等が用いる端末装置１６Ｙを備える。同様に、処方箋データ管理システム１は、薬局Ｚが管理する装置として薬局Ｚの薬剤師等が用いる端末装置１６を備える。
【００３４】
また、処方箋データ管理システム１は、サーバ装置１２およびサーバ装置１５の各々と通信接続されたサーバ装置１７を備える。サーバ装置１７はいずれかの医療機関により発行された処方箋データを、当該処方箋データを要求している薬局により管理されている装置へと送信する役割を果たすサーバ装置である。
【００３５】
端末装置１１、端末装置１３、端末装置１４、端末装置１６のハードウェア構成は、例えば、一般的な端末装置用のコンピュータである。図２は、端末装置１１、端末装置１３、端末装置１４、端末装置１６のハードウェアとして採用されるコンピュータ１０の基本構成を例示した図である。コンピュータ１０は、各種データを記憶するメモリ１０１と、メモリ１０１に記憶されているプログラムに従った各種データ処理を行うプロセッサ１０２と、外部のデータ処理装置との間で各種データの送受信を行う通信ＩＦ（Interface）１０３と、ユーザによるデータ入力操作を受け付けるキーボード１０４と、ユーザに対し各種情報を表示するディスプレイ１０５を備える。
【００３６】
なお、図２に示すコンピュータ１０の構成は例示であって、例えばキーボード１０４に加えてマウスを備える構成や、入出力ＩＦを備えてキーボード１０４とディスプレイ１０５を内蔵する代わりに入出力ＩＦに接続された外付けのキーボードやディスプレイとの間でデータの入出力を行う構成など、コンピュータ１０の構成は様々に変更可能である。
【００３７】
サーバ装置１２、サーバ装置１５、サーバ装置１７のハードウェア構成は、例えば、一般的なサーバ装置用のコンピュータである。図３は、サーバ装置１２、サーバ装置１５、サーバ装置１７のハードウェアとして採用されるコンピュータ２０の基本構成を例示した図である。コンピュータ２０は、コンピュータ１０が備えるメモリ１０１、プロセッサ１０２、通信ＩＦ１０３と同様の役割を果たすメモリ２０１、プロセッサ２０２、通信ＩＦ２０３を備える。なお、図３に示すコンピュータ２０の構成は例示であって、コンピュータ２０の構成は様々に変更可能である。
【００３８】
図４は、端末装置１１の機能構成を示した図である。図２に示したコンピュータ１０は、端末装置１１用のプログラムに従った処理を実行することにより、図４に示される機能構成を備える装置として動作する。端末装置１１は、機能構成として、医師等のユーザから入力される各種データを取得する取得手段１１１と、取得手段１１１により取得された各種データを通信接続されているサーバ装置１２に送信する送信手段１１２を備える。
【００３９】
図５は、サーバ装置１２の機能構成を示した図である。図３に示したコンピュータ２０は、サーバ装置１２用のプログラムに従った処理を実行することにより、図５に示される機能構成を備える装置として動作する。サーバ装置１２は、機能構成として、通信接続されている端末装置１１から送信されてくる各種データを受信することにより取得する取得手段１２１と、各種データを記憶装置３０１に読み書きさせる記憶制御手段１２２と、サーバ装置１７から送信されてくる各種データを受信する受信手段１２３と、各種データをサーバ装置１７に送信する送信手段１２４を備える。なお、記憶装置３０１としては、コンピュータ２０に内蔵されるメモリ２０１が利用されてもよいし、コンピュータ１０に直接またはネットワークを介して接続されている外部の記憶装置が利用されてもよい。
【００４０】
図６は、端末装置１３の機能構成を示した図である。図２に示したコンピュータ１０は、端末装置１３用のプログラムに従った処理を実行することにより、図６に示される機能構成を備える装置として動作する。端末装置１３は、機能構成として、医師等のユーザから入力される各種データを取得する取得手段１３１と、各種データを記憶装置４０１に読み書きさせる記憶制御手段１３２と、各種データをサーバ装置１７に送信する送信手段１３３を備える。なお、記憶装置４０１としては、コンピュータ１０に内蔵されるメモリ１０１が利用されてもよいし、コンピュータ１０に直接またはネットワークを介して接続されている外部の記憶装置が利用されてもよい。
【００４１】
図７は、端末装置１４の機能構成を示した図である。図２に示したコンピュータ１０は、端末装置１４用のプログラムに従った処理を実行することにより、図７に示される機能構成を備える装置として動作する。端末装置１４は、機能構成として、薬剤師等のユーザから入力される各種データを取得する取得手段１４１と、取得手段１４１により取得された各種データを通信接続されているサーバ装置１５に送信する送信手段１４２と、サーバ装置１５から送信されてくる各種データを受信する受信手段１４３と、受信手段１４３により受信された各種データを画像データとして表示装置５０１に出力する出力手段１４４を備える。なお、表示装置５０１としては、コンピュータ１０に内蔵されるディスプレイ１０５が利用されてもよいし、コンピュータ１０に接続されている外部の表示装置が利用されてもよい。
【００４２】
図８は、サーバ装置１５の機能構成を示した図である。図３に示したコンピュータ２０は、サーバ装置１５用のプログラムに従った処理を実行することにより、図８に示される機能構成を備える装置として動作する。サーバ装置１５は、機能構成として、通信接続されている端末装置１４から送信されてくる各種データを受信することにより取得する取得手段１５１と、各種データをサーバ装置１７に送信する送信手段１５２と、サーバ装置１７から送信されてくる各種データを受信する受信手段１５３と、受信手段１５３により受信された各種データを通信接続されている端末装置１４に送信することにより出力する出力手段１５４と、各種データを記憶装置６０１に読み書きさせる記憶制御手段１５５を備える。なお、記憶装置６０１としては、コンピュータ２０に内蔵されるメモリ２０１が利用されてもよいし、コンピュータ２０に直接またはネットワークを介して接続されている外部の記憶装置が利用されてもよい。
【００４３】
図９は、端末装置１６の機能構成を示した図である。図２に示したコンピュータ１０は、端末装置１６用のプログラムに従った処理を実行することにより、図９に示される機能構成を備える装置として動作する。端末装置１６は、機能構成として、薬剤師等のユーザから入力される各種データを取得する取得手段１６１と、各種データをサーバ装置１７に送信する送信手段１６２と、サーバ装置１７から送信されてくる各種データを受信する受信手段１６３と、受信手段１６３により受信された各種データを画像データとして表示装置７０１に出力する出力手段１６４と、各種データを記憶装置８０１に読み書きさせる記憶制御手段１６５を備える。なお、表示装置７０１としては、コンピュータ１０に内蔵されるディスプレイ１０５が利用されてもよいし、コンピュータ１０に接続されている外部の表示装置が利用されてもよい。また、記憶装置８０１としては、コンピュータ１０に内蔵されるメモリ１０１が利用されてもよいし、コンピュータ１０に直接またはネットワークを介して接続されている外部の記憶装置が利用されてもよい。
【００４４】
図１０は、サーバ装置１７の機能構成を示した図である。図３に示したコンピュータ２０は、サーバ装置１７用のプログラムに従った処理を実行することにより、図１０に示される機能構成を備える装置として動作する。サーバ装置１７は、機能構成として、サーバ装置１２、端末装置１３、サーバ装置１５、端末装置１６の各々から送信されてくる各種データを受信する受信手段１７１と、各種データを記憶装置９０１に読み書きさせる記憶制御手段１７２と、基準時刻からの経過時間を継続的に計測し現在時刻を示す時刻データを生成する計時手段１７３と、各種データをサーバ装置１２、端末装置１３、サーバ装置１５、端末装置１６の各々に送信する送信手段１７４を備える。なお、記憶装置９０１としては、コンピュータ２０に内蔵されるメモリ２０１が利用されてもよいし、コンピュータ２０に直接またはネットワークを介して接続されている外部の記憶装置が利用されてもよい。
【００４５】
サーバ装置１２の各々は、当該サーバ装置１２を管理する医療機関に来院した患者に関する各種データを管理するためのデータベースを記憶装置３０１に記憶させている。また、端末装置１３の各々は、当該端末装置１３を管理する医療機関に来院した患者に関する各種データを管理するためのデータベースを記憶装置４０１に記憶させている。サーバ装置１２および端末装置１３の各々により管理されるこれらのデータベースのデータ構成は共通している。以下、サーバ装置１２および端末装置１３の各々により管理される患者に関するデータを管理するデータベースを「患者データベース」と総称する。
【００４６】
図１１は、患者データベースのデータ構成を示した図である。患者データベースは、医療機関に来院した患者の各々に関するレコードの集まりである。患者データベースの各レコードは、患者を医療機関内において識別する診察券番号（医療機関内患者識別データの一例）、患者が加入している健康保険を提供する機関（保険者）を識別する保険者番号、当該保険者において患者（健康保険の加入者）を識別する被保険者番号、患者の氏名、患者の性別、患者の生年月日を格納する。
【００４７】
サーバ装置１２の各々は、当該サーバ装置１２を管理する医療機関により発行される処方箋データと当該処方箋データに関連する各種データを管理するためのデータベースを記憶装置３０１に記憶させている。また、端末装置１３の各々は、当該端末装置１３を管理する医療機関により発行される処方箋データと当該処方箋データに関連する各種データを管理するためのデータベースを記憶装置４０１に記憶させている。サーバ装置１２および端末装置１３の各々により管理されるこれらのデータベースのデータ構成は共通している。以下、サーバ装置１２および端末装置１３の各々により管理される処方箋データ等を管理するデータベースを「医療機関用処方箋データベース」と総称する。
【００４８】
図１２は、医療機関用処方箋データベースのデータ構成を示した図である。医療機関用処方箋データベースは、医療機関により発行された処方箋データの各々に関するレコードの集まりである。医療機関用処方箋データベースの各レコードは、処方箋を複数の医療機関を通じて識別する処方箋ＩＤ、処方箋データを医療機関内において識別する医療機関内処方箋ＩＤ、患者の診察券番号、患者の保険者番号、患者の被保険者番号、患者の氏名、患者の性別、患者の生年月日、処方箋内容、処方箋データの発行時刻である処方時刻、処方箋データに従う調剤を行った薬局を識別する薬局ＩＤ、当該薬局の名称である薬局名、当該薬局の電話番号等である薬局連絡先、当該調剤が行われた時刻である調剤時刻を格納する。
【００４９】
サーバ装置１５の各々は、当該サーバ装置１５を管理する薬局により調剤に用いられた処方箋データと当該処方箋データに関連する各種データを管理するためのデータベースを記憶装置６０１に記憶させている。また、端末装置１６の各々は、当該端末装置１６を管理する薬局により調剤に用いられた処方箋データと当該処方箋データに関連する各種データを管理するためのデータベースを記憶装置８０１に記憶させている。サーバ装置１５および端末装置１６の各々により管理されるデータベースのデータ構成は共通している。以下、サーバ装置１５および端末装置１６の各々により管理されるデータベースを「薬局用処方箋データベース」と総称する。
【００５０】
図１３は、薬局用処方箋データベースのデータ構成を示した図である。薬局用処方箋データベースは、薬局により調剤に用いられた処方箋データの各々に関するレコードの集まりである。薬局用処方箋データベースの各レコードは、医療機関用処方箋データベース（図１２参照）の各レコードが格納するデータの種別のうち、薬局ＩＤ、薬局名、薬局連絡先を除く種別のデータを格納する。また、薬局用処方箋データベースは、処方箋データの発行元の医療機関を識別する医療機関ＩＤ、当該医療機関の名称である医療機関名、当該医療機関の電話番号等である医療機関連絡先を格納する。
【００５１】
サーバ装置１７は、医療機関に関する各種データを管理するためのデータベース（以下、「医療機関データベース」と呼ぶ）を記憶装置９０１に記憶させている。
【００５２】
図１４は、医療機関データベースのデータ構成を示した図である。医療機関データベースは、医療機関の各々に関するレコードの集まりである。医療機関データベースの各レコードは、医療機関ＩＤ、医療機関名、医療機関連絡先、サーバ装置１２または端末装置１３からサーバ装置１７へログインするためのアカウント名（ＩＮ）およびパスワード（ＩＮ）、サーバ装置１２のＵＲＩまたは端末装置１３の電子メールアドレス、サーバ装置１７がサーバ装置１２へログインするためのアカウント名（ＯＵＴ）およびパスワード（ＯＵＴ）を格納する。なお、端末装置１３に応じたレコードに関し、アカウント名（ＯＵＴ）およびパスワード（ＯＵＴ）は格納されない。
【００５３】
サーバ装置１７は、薬局に関する各種データを管理するためのデータベース（以下、「薬局データベース」と呼ぶ）を記憶装置９０１に記憶させている。
【００５４】
図１５は、薬局データベースのデータ構成を示した図である。薬局データベースは、薬局の各々に関するレコードの集まりである。薬局データベースの各レコードは、薬局ＩＤ、薬局名、薬局連絡先、サーバ装置１５または端末装置１６からサーバ装置１７へログインするためのアカウント名（ＩＮ）およびパスワード（ＩＮ）を格納する。
【００５５】
サーバ装置１７は、処方箋データ管理システム１を利用する複数の医療機関（図１に例示の医療機関Ａ〜Ｄ）のいずれかにより発行された処方箋データと当該処方箋データに関連する各種データを管理するためのデータベースを記憶装置９０１に記憶させている。以下、サーバ装置１７により管理されるデータベースを「サーバ用処方箋データベース」と呼ぶ。
【００５６】
図１６は、サーバ用処方箋データベースのデータ構成を示した図である。サーバ用処方箋データベースは、いずれかの医療機関により発行された処方箋データの各々に関するレコードの集まりである。サーバ用処方箋データベースの各レコードは、医療機関用処方箋データベース（図１２参照）の各レコードが格納するデータの種別に加え、薬局用処方箋データベース（図１３参照）の各レコードが格納する医療機関ＩＤ、医療機関名、医療機関連絡先を格納する。すなわち、データ構成に関し、医療機関用処方箋データベースと薬局用処方箋データベースはサーバ用処方箋データベースのサブセットとなっている。
【００５７】
以下に、上述した構成を備える処方箋データ管理システム１の動作を説明する。処方箋データはいずれかの医療機関の医師により作成される。処方箋データ管理システム１においては、医療機関ＡおよびＢ（サーバ装置１２を有する医療機関）は処方箋データをサーバ装置１２に蓄積する。一方、医療機関ＣおよびＤ（サーバ装置１２を有さない医療機関）は処方箋データをサーバ装置１７に蓄積する。医療機関ＡおよびＢは、自ら発行した処方箋データを独自に管理するサーバ装置１２を維持しつつ、サーバ装置１７から当該サーバ装置１２へのアクセスを許可することで、処方箋データ管理システム１を利用することができる。一方、医療機関ＣおよびＤは、新たにサーバ装置１２を準備する必要なく、端末装置１３を用いてサーバ装置１７へアクセスすることで処方箋データ管理システム１を利用することができる。
【００５８】
図１７は、医療機関ＡまたはＢの医師が、端末装置１１を用いて処方箋データをサーバ装置１２に登録する際の処方箋データ管理システム１の動作のシーケンスを示した図である。医師は、患者の診察に先立ち、患者が持参した診察券に記録されている診察券番号と、健康保険証に記録されている保険者番号および被保険者番号を端末装置１１に入力する。端末装置１１の取得手段１１１は、入力された診察券番号、保険者番号、被保険者番号を取得する（ステップＳ１０１）。
【００５９】
なお、端末装置１１が診察券番号、保険者番号、被保険者番号を取得する方法は医師により入力されたこれらのデータを取得する構成に限られない。例えば、患者が医療機関を訪れた際に再来機（図１等において図示略）により診察券と健康保険証から読み取られた診察券番号、保険者番号、被保険者番号を端末装置１１が受信することにより取得する構成が採用されてもよい。なお、診察券が診察券番号および保険者番号を記録する方法は限定されない。例えば、印刷による記録、磁気による記録、メモリ素子による電子的記録などのいずれが採用されてもよい。例えば、診察券に印刷されている診察券番号および保険者番号を、スキャナにより光学的に読み取る方法が採用されてもよい。健康保険証が保険者番号、被保険者番号を記録する方法も同様に限定されず、印刷による記録、磁気による記録、メモリ素子による電子的記録などのいずれが採用されてもよい。例えば、健康保険証に印刷されている保険者番号および被保険者番号を、スキャナにより光学的に読み取る方法が採用されてもよい。
【００６０】
取得手段１１１は、ステップＳ１０１において取得した診察券番号、保険者番号、被保険者番号の組み合わせを検索キーとして、患者データベース（図１１参照）から患者に応じたレコードを検索する（ステップＳ１０２）。ステップＳ１０２の検索に成功した場合、患者の本人確認が正しく行われたと判断される。一方、ステップＳ１０２の検索が失敗した場合、患者データベースに登録されているデータに誤りがある等の問題があるため、それらのデータの再登録などの必要な手続きが行われる。なお、患者データベースへの患者に関するデータの登録および再登録の処理は周知のものであるため、説明を省略する。
【００６１】
ステップＳ１０２における検索が成功した場合、端末装置１１のディスプレイ１０５には、検索されたレコードに含まれる診察券番号、保険者番号、被保険者番号、氏名、性別、生年月日が表示される。医師は必要に応じて、それらの情報を用いて患者の本人確認をさらに行った後、患者を診察する。
【００６２】
医師は診察の結果に応じて、患者に対する薬剤の調剤が必要であると判断した場合、薬剤の処方箋の内容（処方箋データ）と処方時刻（通常、処方した年月日）を端末装置１１に入力する。端末装置１１の取得手段１１１は入力された処方箋内容と処方時刻を取得する（ステップＳ１０３）。端末装置１１の送信手段１１２は、取得手段１１１により取得された診察券番号、保険者番号、被保険者番号、氏名、性別、生年月日、処方箋内容、処方時刻をサーバ装置１２に送信する（ステップＳ１０４）。
【００６３】
サーバ装置１２の取得手段１２１は、ステップＳ１０４において端末装置１１から送信されてくる各種データを受信する。サーバ装置１２の記憶制御手段１２２は、医療機関用処方箋データベース（図１２参照）に新たなレコードを追加し、取得手段１２１により端末装置１１から受信された各種データを当該レコードに格納する（ステップＳ１０５）。ステップＳ１０５において、新たに追加されたレコードにはユニークな医療機関内処方箋ＩＤが自動的に割り当てられ格納される。以上により、医療機関ＡまたはＢの医師が端末装置１１に対し入力した処方箋データが当該処方箋データに関連するデータとともにサーバ装置１２に登録される。
【００６４】
図１８は、医療機関ＣまたはＤの医師が、端末装置１３を用いて処方箋データをサーバ装置１７に登録する際の処方箋データ管理システム１の動作のシーケンスを示した図である。まず、図１７に示したシーケンスのステップＳ１０１〜Ｓ１０３と同様の処理が端末装置１３において行われる（ステップＳ２０１〜Ｓ２０３）。その結果、端末装置１３の取得手段１３１は、診察券番号、保険者番号、被保険者番号、氏名、性別、生年月日、処方箋内容、処方時刻を取得する。
【００６５】
続いて、端末装置１３の記憶制御手段１３２は、医療機関用処方箋データベース（図１２参照）に新たなレコードを追加し、取得手段１３１により取得された各種データを当該レコードに格納する（ステップＳ２０４）。ステップＳ２０４において、新たに追加されたレコードにはユニークな医療機関内処方箋ＩＤが自動的に割り当てられ格納される。
【００６６】
続いて、端末装置１３の送信手段１３３は、ステップＳ２０４において新たに追加されたレコードに格納した各種データをサーバ装置１７に送信する（ステップＳ２０５）。なお、ステップＳ２０５に先立ち、端末装置１３は必要に応じてサーバ装置１７に対するログイン処理を行う。サーバ装置１７は医療機関データベース（図１４参照）に登録されているアカウント名（ＩＮ）およびパスワード（ＩＮ）を用いてログイン処理を行い、正しくログイン処理が行われた後に、ステップＳ２０５において端末装置１３から送信されてくる各種データを、受信手段１７１により受信する。
【００６７】
サーバ装置１７の記憶制御手段１７２は、サーバ用処方箋データベース（図１６参照）に新たなレコードを追加し、受信手段１７１により端末装置１３から受信された各種データを当該レコードに格納する（ステップＳ２０６）。また、ステップＳ２０６において、サーバ装置１７は、例えば端末装置１３がサーバ装置１７にログインした際に端末装置１３から受信したアカウント名（ＩＮ）を検索キーとして医療機関データベース（図１４参照）からレコードを検索し、検索したレコードに格納されている医療機関ＩＤ、医療機関名、医療機関連絡先を、新たなレコードに格納する。以上により、医療機関ＣまたはＤの医師が端末装置１３に対し入力した処方箋データが当該処方箋データに関連するデータとともにサーバ装置１７に登録される。
【００６８】
患者は、いずれかの医療機関において処方箋データの発行を受けると、当該処方箋データに従い調剤された薬剤を受け取るために、いずれかの薬局を訪れる。処方箋データ管理システム１においては、薬局ＷおよびＸ（サーバ装置１５を有する薬局）は患者の来店に伴いサーバ装置１７から取得し、調剤に使用した処方箋データ（以下、「使用済処方箋データ」と呼ぶ）をサーバ装置１２に蓄積する。一方、薬局ＹおよびＺ（サーバ装置１５を有さない医療機関）は使用済処方箋データをサーバ装置１７に蓄積する。薬局ＷおよびＸは、自ら使用した処方箋データを独自に管理するサーバ装置１５を維持しつつ、当該サーバ装置１５からサーバ装置１７へアクセスすることで、処方箋データ管理システム１を利用することができる。一方、薬局ＹおよびＺは、新たにサーバ装置１５を準備する必要なく、端末装置１６を用いてサーバ装置１７へアクセスすることで処方箋データ管理システム１を利用することができる。
【００６９】
図１９は、薬局ＷまたはＸの薬剤師等の薬局の職員（以下、便宜的に薬剤師とする）が、調剤のために処方箋を端末装置１４に表示させる際の処方箋データ管理システム１の動作のシーケンスを示した図である。薬剤師は、薬剤の調剤に先立ち、患者が持参した診察券に記録されている医療機関ＩＤおよび診察券番号と、健康保険証に記録されている保険者番号および被保険者番号を端末装置１４に入力する。端末装置１４の取得手段１４１は、入力された医療機関ＩＤ、診察券番号、保険者番号、被保険者番号を取得する（ステップＳ３０１）。
【００７０】
なお、端末装置１４が医療機関ＩＤ、診察券番号、保険者番号、被保険者番号を取得する方法は薬剤師により入力されたこれらのデータを取得する構成に限られない。例えば、患者により薬剤師に対し提示される診察券と健康保険証から読み取られた医療機関ＩＤ、診察券番号、保険者番号、被保険者番号を端末装置１４が読取機から受信することにより取得する構成が採用されてもよい。
【００７１】
端末装置１４の送信手段１４２は、ステップＳ３０１において取得手段１４１により取得された各種データをサーバ装置１５に送信する（ステップＳ３０２）。サーバ装置１５の取得手段１５１は、ステップＳ３０２において端末装置１４から送信されてくる各種データを受信する。
【００７２】
続いて、サーバ装置１５の送信手段１５２は、取得手段１５１により受信された各種データをサーバ装置１７に転送する（ステップＳ３０３）。なお、ステップＳ３０３に先立ち、サーバ装置１５は必要に応じてサーバ装置１７に対するログイン処理を行う。サーバ装置１７は薬局データベース（図１５参照）に登録されているアカウント名（ＩＮ）およびパスワード（ＩＮ）を用いてログイン処理を行い、正しくログイン処理が行われた後に、ステップＳ３０３においてサーバ装置１５から送信されてくる各種データを、受信手段１７１により受信する。
【００７３】
続いて、サーバ装置１７は、ステップＳ３０３において受信手段１７１により受信された医療機関ＩＤを検索キーとして、医療機関データベース（図１４参照）から医療機関に応じたレコードを検索し、検索したレコードにＵＲＩと電子メールアドレスのいずれが格納されているかを判定する（ステップＳ３０４）。検索されたレコードにＵＲＩが格納されている場合（ステップＳ３０４；「１」）、サーバ装置１７の送信手段１７４は、当該ＵＲＩに従い、患者が持参した診察券の発行元の医療機関により管理されるサーバ装置１２に診察券番号を送信する（ステップＳ３０５）。なお、ステップＳ３０５に先立ち、サーバ装置１７は必要に応じてサーバ装置１２に対するログイン処理を行う。サーバ装置１７は医療機関データベース（図１４参照）に登録されているアカウント名（ＯＵＴ）およびパスワード（ＯＵＴ）を用いてログイン処理を行い、正しくログイン処理が行われた後に、ステップＳ３０５においてサーバ装置１２に対し診察券番号を送信する。
【００７４】
サーバ装置１２の受信手段１２３は、ステップＳ３０５においてサーバ装置１７から送信されてくる診察券番号を受信する。続いて、サーバ装置１２は、受信した診察券番号を抽出キーとして、医療機関用処方箋データベース（図１２参照）からレコード（以下、「処方箋レコード」と呼ぶ）を抽出する（ステップＳ３０６）。サーバ装置１２の送信手段１２４は、ステップＳ３０６において抽出された処方箋レコードを、ステップＳ３０５において受信した診察券番号に対する応答としてサーバ装置１７に送信する（ステップＳ３０７）。サーバ装置１７の受信手段１７１は、ステップＳ３０７においてサーバ装置１２から送信されてくる処方箋レコードを受信する。なお、患者が正しい診察券を薬局に提示しなかった等の理由でステップＳ３０６において処方箋レコードが抽出されなかった場合、通常のエラー処理が行われるが、当該エラー処理は周知のものであるため、その説明を省略する。
【００７５】
ステップＳ３０４における判定において、検索されたレコードに電子メールアドレスが格納されている場合（ステップＳ３０４；「２」）、サーバ装置１７はステップＳ３０３において受信した診察券番号を抽出キーとして、サーバ用処方箋データベース（図１６参照）から処方箋レコードを抽出する（ステップＳ３０８）。なお、ステップＳ３０８において処方箋レコードが抽出されなかった場合、ステップＳ３０６における場合と同様に、通常のエラー処理が行われる。
【００７６】
続いて、サーバ装置１７は、ステップＳ３０７においてサーバ装置１２から受信した処方箋レコード、またはステップＳ３０８において抽出した処方箋レコードの氏名、性別、生年月日の組み合わせを抽出キーとして、サーバ用処方箋データベース（図１６参照）から、調剤時刻が現在時刻（計時手段１７３により生成される時刻データが示す時刻）から所定時間（例えば１か月）をまだ経過していないレコードを抽出する（ステップＳ３０９）。ステップＳ３０９において抽出されるレコードは、薬局に来店している患者が過去の所定期間にいずれかの薬局において受け取った薬剤の調剤に用いられた使用済処方箋データを格納する処方箋レコード（以下、「使用済処方箋レコード」と呼ぶ）である。従って、ステップＳ３０９においてレコードが抽出されない場合もある。なお、サーバ用処方箋データベースにおける調剤時刻の登録については後述する。
【００７７】
続いて、サーバ装置１７の送信手段１７４は、ステップＳ３０３における各種データの送信元のサーバ装置１５に対し、当該各種データに対する応答として、ステップＳ３０７においてサーバ装置１２から受信された処方箋レコード、またはステップＳ３０８において抽出された処方箋レコードと、ステップＳ３０９において抽出された使用済処方箋レコードとを送信する（ステップＳ３１０）。
【００７８】
サーバ装置１５の受信手段１５３は、ステップＳ３１０においてサーバ装置１７から送信されてくる処方箋レコードおよび使用済処方箋レコードを受信する。サーバ装置１５の出力手段１５４は、ステップＳ３０２における各種データの送信元の端末装置１４に対し、当該各種データに対する応答として、ステップＳ３１０においてサーバ装置１７から受信された処方箋レコードおよび使用済処方箋レコードを転送する（ステップＳ３１１）。
【００７９】
端末装置１４の受信手段１４３は、ステップＳ３１１においてサーバ装置１５から送信されてくる処方箋レコードおよび使用済処方箋レコードを受信する。端末装置１４の出力手段１４４は、ステップＳ３１１において受信された処方箋レコードおよび使用済処方箋レコードの内容を示す画像データを表示装置５０１に出力する（ステップＳ３１２）。ステップＳ３１２において、出力手段１４４はステップＳ３０１において取得された保険者番号と被保険者番号の組み合わせと、サーバ装置１５から受信された処方箋レコードおよび使用済処方箋レコードの各々に格納される保険者番号と被保険者番号の組み合わせとを比較し、当該比較の結果を、例えば色の違いや下線の有無等により表示する画像データを生成し、表示装置５０１に出力する。
【００８０】
上述の処理により、薬局ＷまたはＸの薬剤師に対し、患者に対し発行されている処方箋データの内容と、当該患者に対し過去の所定期間にいずれかの薬局において手渡された薬剤の調剤に用いられた使用済処方箋データの内容を示す画面が表示されることになる。その際、患者が薬局において提示した健康保険証の情報と、処方箋データに応じた健康保険証の情報の一致・不一致が薬剤師に対し示される。従って、例えば健康保険証が変更になっている場合、薬剤師は画面に表示される処方箋データの医療機関連絡先に対し電話等で連絡を取り、新しい健康保険証の情報を用いた処方箋データの修正を医療機関にリクエストすることができる。もしくは、薬剤師が医療機関の了解を得た後、自ら処方箋データを修正する構成が採用されてもよい。その結果、誤った保険者に対し処方箋の使用が報告される不都合が回避される。
【００８１】
また、薬剤師に対し表示される使用済処方箋データは、患者の氏名、性別、生年月日の組み合わせに基づき抽出されたデータであるため、偶然、別の患者の使用済処方箋データが混入することも皆無ではない。ただし、健康保険証の情報の一致・不一致も併せて示されるため、患者の同一性の確認が容易である。
【００８２】
薬剤師は、端末装置１４において表示される処方箋データに従い調剤される薬剤と、使用済処方箋データに従い同じ患者に対し過去の所定期間に調剤された薬剤との間に、禁忌や極量オーバーがないかを確認する。そして、薬剤師は必要に応じて、処方箋データの医療機関連絡先に対し電話等で連絡を取り、薬剤間の禁忌や極量オーバーを回避するように、処方箋データの修正を医療機関にリクエストする。もしくは、薬剤師が必要に応じて医療機関の了解を得た後、自ら処方箋データを修正する。
【００８３】
薬剤師は、端末装置１４において表示される処方箋データが、正しい健康保険証の情報を示し、また、薬剤間の禁忌や極量オーバーのない適正な処方箋を示すものであることを確認した後、当該処方箋データに従い薬剤の調剤を行い、当該薬剤を患者に手渡す。
【００８４】
上記のように薬剤師により調剤が行われた場合、使用済処方箋データの登録処理が行われる。図２０は、薬局ＷまたはＸにおいて薬剤の調剤が行われた際に、使用済処方箋データの登録のために処方箋データ管理システム１において行われる処理のシーケンスを示した図である。
【００８５】
まず、薬剤師は、例えば調剤に使用した処方箋データの内容が表示されている端末装置１４の画面に対し、調剤時刻（通常は調剤が行われた年月日）を入力する。薬剤師により入力された調剤時刻は端末装置１４の取得手段１４１により取得される（ステップＳ４０１）。端末装置１４の送信手段１４２は、取得手段１４１により取得された調剤時刻と、その際に表示されている処方箋データ（使用済処方箋データ）および当該処方箋データに関連する各種データをサーバ装置１５に送信する（ステップＳ４０２）。
【００８６】
サーバ装置１５の取得手段１５１は、ステップＳ４０２において端末装置１４から送信されてくるデータを受信する。サーバ装置１５の記憶制御手段１５５は、薬局用処方箋データベース（図１３参照）に新たなレコードを追加し、ステップＳ４０２において受信されたデータを新たなレコードに格納する（ステップＳ４０３）。ステップＳ４０３にいて薬局用処方箋データベースに追加されるレコードは、使用済処方箋レコードである。
【００８７】
サーバ装置１５の送信手段１５２は、ステップＳ４０３において薬局用処方箋データベースに追加した使用済処方箋レコードをサーバ装置１７に送信する（ステップＳ４０４）。サーバ装置１７の受信手段１７１は、ステップＳ４０４においてサーバ装置１５から送信されてくる使用済処方箋レコードを受信する。サーバ装置１７の記憶制御手段１７２は、ステップＳ４０４において受信された使用済処方箋レコードの処方箋ＩＤを検索キーとしてサーバ用処方箋データベース（図１６参照）からレコードを検索し、検索したレコードをステップＳ４０４において受信された使用済処方箋レコードのデータを用いて更新する（ステップＳ４０５）。また、ステップＳ４０５において、サーバ装置１７は、例えばサーバ装置１５がサーバ装置１７にログインした際にサーバ装置１５から受信したアカウント名（ＩＮ）を検索キーとして薬局データベース（図１５参照）からレコードを検索し、検索したレコードに格納されている薬局ＩＤ、薬局名、薬局連絡先を用いて、検索したレコードに格納する。
【００８８】
続いて、サーバ装置１７はステップＳ４０５において更新したレコードに格納される医療機関ＩＤを検索キーとして医療機関データベース（図１４参照）からレコードを検索し、検索したレコードにＵＲＩと電子メールアドレスのいずれが格納されているかを判定する（ステップＳ４０６）。検索されたレコードにＵＲＩが格納されている場合（ステップＳ４０６；「１」）、サーバ装置１７の送信手段１７４は、当該ＵＲＩに従い、使用済処方箋データの発行元の医療機関により管理されるサーバ装置１２に、ステップＳ４０５において更新した使用済処方箋レコードを送信する（ステップＳ４０７）。なお、ステップＳ４０７に先立ち、サーバ装置１７は必要に応じてサーバ装置１２に対するログイン処理を行う。
【００８９】
サーバ装置１２の受信手段１２３は、ステップＳ４０７においてサーバ装置１７から送信されてくる使用済処方箋レコードを受信する。サーバ装置１２は、ステップＳ４０７において受信された使用済処方箋レコードに格納される医療機関内処方箋ＩＤを検索キーとして医療機関用処方箋データベース（図１２参照）からレコードを検索し、検索したレコードをステップＳ４０７において受信された使用済処方箋レコードのデータを用いて更新する（ステップＳ４０８）。
【００９０】
ステップＳ４０６における判定において、検索されたレコードに電子メールアドレスが格納されている場合（ステップＳ４０６；「２」）、サーバ装置１７はステップＳ４０４において受信された使用済処方箋レコードを含む電子メールを生成し、ステップＳ４０６において検索されたレコードに格納されている電子メールアドレス、すなわち使用済処方箋データの発行元の医療機関により管理される端末装置１３に応じた電子メールアドレスに宛てて当該電子メールを送信する（ステップＳ４０９）。端末装置１３は、ステップＳ４０９においてサーバ装置１７から送信された電子メールをメーラ等により受信する。端末装置１３は、受信した電子メールに含まれる使用済処方箋レコードに格納される医療機関内処方箋ＩＤを検索キーとして医療機関用処方箋データベース（図１２参照）からレコードを検索し、検索したレコードをステップＳ４０９において受信された使用済処方箋レコードのデータを用いて更新する（ステップＳ４１０）。上述の処理により、薬局ＷまたはＸにおける処方箋データの使用に伴う薬局用処方箋データベース、サーバ用処方箋データベース、医療機関用処方箋データベースの更新が行われる。
【００９１】
図２１は、薬局ＹまたはＺの薬剤師が、調剤のために処方箋を端末装置１６に表示させる際の処方箋データ管理システム１の動作のシーケンスを示した図である。まず、図１９に示したシーケンスのステップＳ３０１〜Ｓ３０２と同様の処理が端末装置１６において行われる（ステップＳ５０１〜Ｓ５０２）。ただし、ステップＳ５０２において端末装置１６が各種データを送信する相手はサーバ装置１７である。
【００９２】
続いて、図１９に示したシーケンスのステップＳ３０４〜Ｓ３１０と同様の処理がサーバ装置１７とサーバ装置１２において行われる（ステップＳ５０３〜Ｓ５０９）。ただし、ステップＳ５０９においてサーバ装置１７が処方箋レコードおよび使用済処方箋レコードを送信する相手は端末装置１６である。続いて、図１９に示したシーケンスのステップＳ３１２と同様の処理が端末装置１６において行われる（ステップＳ５１０）。
【００９３】
上述の処理により、薬局ＹまたはＺの薬剤師に対し、患者に対し発行されている処方箋データの内容と、当該患者に対し過去の所定期間にいずれかの薬局において手渡された薬剤の調剤に用いられた使用済処方箋データの内容を示す画面が表示されることになる。
【００９４】
図２２は、薬局ＹまたはＷにおいて薬剤の調剤が行われた際に、使用済処方箋データの登録のために処方箋データ管理システム１において行われる処理のシーケンスを示した図である。まず、図２１に示したシーケンスのステップＳ４０１およびＳ４０３と同様の処理が端末装置１６において行われる（ステップＳ６０１〜Ｓ６０２）。
【００９５】
続いて、図２１に示したシーケンスのステップＳ４０４〜Ｓ４１０と同様の処理がサーバ装置１７、サーバ装置１２、端末装置１３において行われる（ステップＳ６０３〜Ｓ６０９）。
【００９６】
上述の処理により、薬局ＹまたはＺにおける処方箋データの使用に伴う薬局用処方箋データベース、サーバ用処方箋データベース、医療機関用処方箋データベースの更新が行われる。
【００９７】
以上が処方箋データ管理システム１の説明である。処方箋データ管理システム１によれば、医療機関および薬局が独自のサーバ装置を用いるか否かにかかわらず、それらの医療機関および薬局が処方箋データを利用可能な環境が実現される。そのため、医療機関および薬局の現状に大きな変更を加えることなく、低コストかつ短時間で処方箋データの利用環境が実現される。また、各医療機関に管理される複数のサーバ装置１２、各薬局に管理される複数のサーバ装置１５により処方箋データの一部の管理が行われるので、中央のサーバ装置に処方箋データの管理が全て集中するシステムと比較し、処理の分散化が行われ、システムの実現および維持が低コストで可能である。
【００９８】
［変形例］
上述した実施形態は様々に変形され得る。以下にそれらの変形の例を示す。なお、上記の実施形態および以下の変形例の２以上が適宜組み合わされてもよい。
【００９９】
［第１変形例］
上述した実施形態においては、薬局に管理されるサーバ装置１５は、サーバ装置１７を介して医療機関に管理されるサーバ装置１２から処方箋データを取得する構成が採用されている。これに代えて、薬局に管理されるサーバ装置１５がサーバ装置１７を介さずに、患者から提示される診察券に記録されている医療機関ＩＤにより識別される医療機関に管理されるサーバ装置１２に対し処方箋データを要求し、当該サーバ装置１２から処方箋データを受信する構成（以下、「第１変形例」という）が採用されてもよい。
【０１００】
図２３は、第１変形例にかかる処方箋データ管理システム２の全体構成を示した図である。以下、処方箋データ管理システム２が処方箋データ管理システム１と異なる点を説明する。また、処方箋データ管理システム２の構成部のうち、処方箋データ管理システム１の構成部に対応する構成部には、処方箋データ管理システム１で用いた符号と同じ符号を用いる。
【０１０１】
処方箋データ管理システム２は、処方箋データ管理システム１が備える構成部のうち、医師等により使用される端末装置１１、医療機関に管理されるサーバ装置１２、薬剤師等により使用される端末装置１４、薬局に管理されるサーバ装置１５を備える。処方箋データ管理システム２における端末装置１１および端末装置１４の動作は処方箋データ管理システム１における場合と同様である。
【０１０２】
処方箋データ管理システム２においては、サーバ装置１２とサーバ装置１５がサーバ装置１７を介さずにデータの送受信を行う。そのため、処方箋データ管理システム１においてサーバ装置１７が行う処理のうち、医療機関ＩＤに応じたサーバ装置１２を特定する処理は、サーバ装置１５が行う。
【０１０３】
処方箋データ管理システム２におけるサーバ装置１２の機能構成は、処方箋データ管理システム１におけるサーバ装置１２の機能構成（図５参照）と同様である。ただし、処方箋データ管理システム２におけるサーバ装置１２の記憶制御手段１２２は、記憶装置３０１に薬局データベース（図１５参照）を記憶させている。サーバ装置１２は薬局データベースから薬局ＩＤに応じたレコードを検索し、検索したレコードに含まれるＵＲＩ、アカウント名（ＩＮ）、パスワード（ＩＮ）を用いて、薬局ＩＤにより識別される薬局に管理されるサーバ装置１５にログインし、サーバ装置１５との間でデータの送受信を行うことができる。
【０１０４】
また、処方箋データ管理システム２におけるサーバ装置１５の機能構成は、処方箋データ管理システム１におけるサーバ装置１５の機能構成（図８参照）と同様である。ただし、処方箋データ管理システム２におけるサーバ装置１５の記憶制御手段１５５は、記憶装置６０１に医療機関データベース（図１４参照）を記憶させている。サーバ装置１５は医療機関データベースから医療機関ＩＤに応じたレコードを検索し、検索したレコードに含まれるＵＲＩ、アカウント名（ＩＮ）、パスワード（ＩＮ）を用いて、医療機関ＩＤにより識別される医療機関に管理されるサーバ装置１２にログインし、サーバ装置１２との間でデータの送受信を行うことができる。
【０１０５】
図２４は、薬局ＷまたはＸの薬剤師が、調剤のために処方箋を端末装置１４に表示させる際の処方箋データ管理システム２の動作のシーケンスを示した図である。図２４に示すシーケンスは、図１９に示したシーケンスと類似している。まず、端末装置１４は医療機関ＩＤ等を取得し（ステップＳ７０１）、取得した各種データをサーバ装置１５に送信する（ステップＳ７０２）。サーバ装置１５は、ステップＳ７０２において受信した医療機関ＩＤに応じたレコードを医療機関データベース（図１４参照）から検索し、検索したレコードに含まれるＵＲＩ等を用いて、医療機関ＩＤにより識別される医療機関に管理されるサーバ装置１２に対しステップＳ７０２において受信した診察券番号を送信する（ステップＳ７０３）。
【０１０６】
サーバ装置１２は、ステップＳ７０３において受信した診察券番号に応じた処方箋レコードを医療機関用処方箋データベース（図１２参照）から抽出し（ステップＳ７０４）、抽出した処方箋レコードをステップＳ７０３における診察券番号の送信元のサーバ装置１５に送信する（ステップＳ７０５）。
【０１０７】
サーバ装置１５は、ステップＳ７０５において受信した処方箋レコードに含まれる氏名、性別、生年月日の組み合わせを抽出キーとして、薬局用処方箋データベース（図１３参照）から、調剤時刻が現在時刻から所定時間（例えば１か月）をまだ経過していないレコードを抽出使用済処方箋レコードとして抽出する（ステップＳ７０６）。サーバ装置１５は、ステップＳ７０５においてサーバ装置１２から受信した処方箋レコードと、ステップＳ７０６において抽出した抽出使用済処方箋レコードを、ステップＳ７０２における各種データの送信元の端末装置１４に送信する（ステップＳ７０７）。
【０１０８】
端末装置１４は、ステップＳ７０２における各種データの送信に対する応答としてサーバ装置１５から送信されてくる処方箋レコードおよび抽出した抽出使用済処方箋レコードの内容を表示する（ステップＳ７０８）。
【０１０９】
図２５は、薬局ＷまたはＸにおいて薬剤の調剤が行われた際に、使用済処方箋データの登録のために処方箋データ管理システム２において行われる処理のシーケンスを示した図である。図２５に示すシーケンスは、図２０に示したシーケンスと類似している。まず、端末装置１４は、調剤時刻を取得する（ステップＳ８０１）。続いて、端末装置１４は、サーバ装置１５に調剤時刻、使用処方箋データ等を送信する（ステップＳ８０２）。
【０１１０】
サーバ装置１５は、ステップＳ８０２において受信した使用済処方箋データを薬局用処方箋データベース（図１３参照）に登録する（ステップＳ８０３）。続いて、サーバ装置１５は、ステップＳ８０３において使用済処方箋データの登録されたレコード（使用済処方箋レコード）に含まれる医療機関ＩＤに応じたレコードを医療機関データベース（図１４参照）から検索し、検索したＵＲＩに従い、サーバ装置１２に対し当該使用済処方箋レコードを送信する（ステップＳ８０４）。
【０１１１】
サーバ装置１２は、ステップＳ８０４において受信した使用済処方箋レコードを用いて、医療機関用処方箋データベース（図１２参照）を更新する（ステップＳ８０５）。
【０１１２】
第１変形例にかかる処方箋データ管理システム２によれば、薬局において、患者が複数の異なる医療機関からほぼ同時期に処方箋の発行を受けた場合や、患者が複数の異なる薬局においてほぼ同時期に調剤を受けた場合、禁忌や極量オーバーのチェックは不完全となる点で、処方箋データ管理システム１と比較した場合のデメリットがある。一方、処方箋データ管理システム２によれば、サーバ装置１７が不要であるため、処方箋データ管理システム１と比較し、導入がより容易であり、維持費用等のコストも少なく抑えられる、というメリットが得られる。
【０１１３】
［その他の変形例］
以下に、上述した第１変形例とは異なる変形例を示す。上述した実施形態において、記憶制御手段１７２が、サーバ用処方箋データベースに格納される処方箋レコードのうち、処方時刻からの経過時間が所定時間に達した処方箋レコードを削除する構成が採用されてもよい。処方箋データには法定等の有効期間がある。そのため、使用されないで当該有効期間を過ぎた処方箋データはその後も利用されることはない。従って、サーバ用処方箋データベースからそれらの処方箋データを含むレコードを順次削除することにより、サーバ用処方箋データベースのデータ量の肥大化に伴う処理の遅れ、サーバ装置１７の維持コストの上昇等が回避される。
【０１１４】
また、上述した実施形態において、記憶制御手段１７２が、サーバ用処方箋データベースに格納される使用済処方箋レコードのうち、調剤時刻からの経過時間が所定時間に達した使用済処方箋レコードを削除する構成が採用されてもよい。使用済処方箋データは、或る患者に対し新たに調剤される薬剤と過去の所定期間に当該患者に手渡された薬剤との間に禁忌や極量オーバーが生じる不都合を回避するために薬剤師の閲覧に供される。従って、当該所定期間を過ぎた使用済処方箋データはその後、利用されることはない。従って、サーバ用処方箋データベースからそれらの使用済処方箋データを含むレコードを順次削除することにより、サーバ用処方箋データベースのデータ量の肥大化に伴う処理の遅れ、サーバ装置１７の維持コストの上昇等が回避される。
【０１１５】
上述した実施形態においては、端末装置１１、サーバ装置１２、端末装置１３、端末装置１４、サーバ装置１５、端末装置１６、サーバ装置１７の各々は、通常のコンピュータにプログラムに従った処理を実行させることにより実現される。これに代えて、これらの装置の少なくとも一部が、論理集積回路等のハードウェアにより図４〜図１０に示した構成を実現する、いわゆる専用装置として実現されてもよい。
【０１１６】
上述した実施形態においては、或る患者に対し過去の所定期間内に手渡された薬剤の内容を示す使用済処方箋データを抽出するために、患者の氏名、性別、生年月日の組み合わせが用いられる。この組み合わせは、患者を複数の医療機関および複数の薬局を通じて識別する患者識別データの一例であって、この組み合わせ以外の組み合わせが使用済処方箋データの抽出のための患者識別データとして用いられてもよい。例えば、氏名、性別、生年月日に加えて、またはそれらの一部に代えて、患者の住所が用いられてもよい。また、これらのデータに加えて、またはそれらの一部に代えて、保険者番号と被保険者番号の組み合わせが用いられてもよい。
【０１１７】
上述した実施形態の説明において、医療機関の単位は病院、診療所の単位であることが想定されている。医療機関の単位は病院、診療所の単位に限られず、例えば１つの病院の異なる診療科が異なる医療機関として扱われてもよい。この場合、各診療科により管理されるサーバ装置１２が当該診療科により発行される処方箋データを医療機関用処方箋データベースにて管理する構成が採用される。また、診察券に記録されている医療機関ＩＤとしては、例えば病院名と診療科名の組み合わせ等が用いられる。
【０１１８】
上述した実施形態において端末装置１１、サーバ装置１２、端末装置１３、端末装置１４、サーバ装置１５、端末装置１６、サーバ装置１７の各々によって実行されるプログラムは、データを持続的に記録するコンピュータ読み取り可能な記録媒体に記憶された状態で提供され得る。また、これらのプログラムは、インターネット等のネットワーク経由でコンピュータにダウンロードされて用いられてもよい。
【符号の説明】
【０１１９】
１…処方箋データ管理システム、１０…コンピュータ、１１…端末装置、１２…サーバ装置、１３…端末装置、１４…端末装置、１５…サーバ装置、１６…端末装置、１７…サーバ装置、２０…コンピュータ、１０１…メモリ、１０２…プロセッサ、１０３…通信ＩＦ、１０４…キーボード、１０５…ディスプレイ、１１１…取得手段、１１２…送信手段、１２１…取得手段、１２２…記憶制御手段、１２３…受信手段、１２４…送信手段、１３１…取得手段、１３２…記憶制御手段、１３３…送信手段、１４１…取得手段、１４２…送信手段、１４３…受信手段、１４４…出力手段、１５１…取得手段、１５２…送信手段、１５３…受信手段、１５４…出力手段、１５５…記憶制御手段、１６１…取得手段、１６２…送信手段、１６３…受信手段、１６４…出力手段、１６５…記憶制御手段、１７１…受信手段、１７２…記憶制御手段、１７３…計時手段、１７４…送信手段、２０１…メモリ、２０２…プロセッサ、２０３…通信ＩＦ、３０１…記憶装置、４０１…記憶装置、５０１…表示装置、６０１…記憶装置、７０１…表示装置、８０１…記憶装置、９０１…記憶装置
【要約】
【課題】処方箋データを集中管理する仕組みと比較して、低コストかつ短時間で実用化が可能な処方箋データの管理の仕組みを提供する。
【解決手段】医療機関ＡまたはＢより発行された処方箋データは各医療機関に管理されるサーバ装置１２に格納される。一方、医療機関ＣおよびＤにより発行される処方箋データはサーバ装置１７に格納される。薬局ＷまたはＸの薬剤師はサーバ装置１５を介して端末装置１４からサーバ装置１７に対し、また、薬局ＹまたはＺの薬剤師は端末装置１６からサーバ装置１７に対し、患者の提示する診察券に記録されている医療機関ＩＤと診察券番号を送信する。サーバ装置１７は受信した医療機関ＩＤが医療機関ＡまたはＢを識別する場合、識別される医療機関のサーバ装置１２にログインし、診察券番号で識別される患者に発行されている処方箋データを受信する。
【選択図】図１【図１】
0005799155.tif 000002
【図２】
0005799155.tif 000003
【図３】
0005799155.tif 000004
【図４】
0005799155.tif 000005
【図５】
0005799155.tif 000006
【図６】
0005799155.tif 000007
【図７】
0005799155.tif 000008
【図８】
0005799155.tif 000009
【図９】
0005799155.tif 000010
【図１０】
0005799155.tif 000011
【図１１】
0005799155.tif 000012
【図１２】
0005799155.tif 000013
【図１３】
0005799155.tif 000014
【図１４】
0005799155.tif 000015
【図１５】
0005799155.tif 000016
【図１６】
0005799155.tif 000017
【図１７】
0005799155.tif 000018
【図１８】
0005799155.tif 000019
【図１９】
0005799155.tif 000020
【図２０】
0005799155.tif 000021
【図２１】
0005799155.tif 000022
【図２２】
0005799155.tif 000023
【図２３】
0005799155.tif 000024
【図２４】
0005799155.tif 000025
【図２５】
0005799155.tif 000026